(57)【要約】      （修正有）【課題】位置ずれ防止用の結び紐を係合するときの作業性を向上させる掛布団カバーを提供する。【解決手段】２本の長辺ならびに２本の短辺から成る長方形状の布地を表裏２枚で重ね合わせた掛布団カバーにおいて、表側および裏側の布地の短辺Ｓ１・Ｓ２を重ね合わせて縫合するとともに２本の長辺Ｌ１・Ｌ２が各々開口したカバー本体２と、２本の長辺のそれぞれに１組ずつ取付けられた２組のファスナ４０１・４０２と、を備える。さらに掛布団カバーは、長方形状のカバー本体の内側に設けられ、長方形状の４隅、ならびに、２本の長辺の各中央部に配置された結び紐３１〜３６と、２本の短辺の各中央部付近にそれぞれ１つずつ配置された短辺ずれ防止結び紐３７・３８と、を備える。また、２本の短辺中央部付近には、表側の布地を開口した小孔５１・５２を各々設ける。【選択図】図３
0003196039.tif 000002
【実用新案登録請求の範囲】
【請求項１】
掛布団を覆うカバーであって、２本の長辺ならびに２本の短辺から成る長方形状の布地を表裏２枚で重ね合わせた掛布団カバーにおいて、
前記布地で作られたカバー本体であって、表側および裏側の布地の短辺を重ね合わせて縫合するとともに、前記２本の長辺が各々開口したカバー本体と、
このカバー本体の開口した２本の長辺のそれぞれに１組ずつ取付けられた２組のファスナと、
前記長方形状のカバー本体の内側に設けられた結び紐であって、この長方形状の四隅、ならびに、前記２本の長辺の各中央部に配置された結び紐と、
前記２本の短辺の各中央部付近にそれぞれ１つずつ配置された短辺ずれ防止結び紐と、
同２本の短辺の中央部付近において前記布地を開口して各々設けられた小孔と、
を備え、
前記カバー本体の各長辺を別々に開閉でき、
加えて、当該掛布団カバー内部に収容された掛布団の結び紐、ならびに、前記短辺ずれ防止結び紐を、前記短辺中央部に設けた小孔を介して係合できるように構成されたことを特徴とする、掛布団カバー。
【考案の詳細な説明】
【技術分野】
【０００１】
本考案は、２つ以上の辺を開口可能な長方形状の掛布団カバーに関する。
【背景技術】
【０００２】
昨今の健康ブームにより、生活習慣病予防などに向けた日々の体調管理に対する一般の人々の関心も高まり、日常生活を快適に且つ健康的に過ごす上で睡眠の果たす役割が改めて見直されている。
このような潮流のなか寝具業界においても、従来から在る寝具に改良を加えたり、新しい発想に基づく快眠グッズが考え出されており、利便性の高い寝具・様々な効能が得られる寝具が容易に入手可能となっている。このような寝具類も、他社製品に対する差別化や生産性向上を図るため様々な工夫が凝らされている（例えば、特許文献１参照。）。
【０００３】
特許文献１に開示された布団カバーによれば、隣り合う２辺がＬ字状に開口した布団カバーにおいて、この２辺に対しファスナを曲げることなく縫合することで生産過程における不良品の発生防止が可能となっている。
【先行技術文献】
【特許文献】
【０００４】
【特許文献１】特開２００３−３２５２９３号公報
【考案の概要】
【考案が解決しようとする課題】
【０００５】
一般に掛布団・敷布団をはじめとする布団類は、外装地の汚損・損傷などを防止するために掛布団カバーで覆って使用することが多い。
しかし掛布団カバーとそれに収容された掛布団が位置ずれを起こすと、掛布団カバーの中で掛布団が丸まってしまい、掛布団を全面に広げた適正な状態で使用することができない。
このような状態で掛布団を使用すると快眠が妨げられるのみならず、風邪などの発症を誘発し体調不良にもつながりかねない。
【０００６】
このような位置ずれによる弊害を防止するために通常、掛布団には６つないしは８つの位置ずれ防止用の結び紐が設けられている。また、これに対応して市販品の掛布団カバーにも結び紐が取付けられている。
なお流通市場で出回っている掛布団カバーの多くは、掛布団の形状に対応する長方形状の表裏２枚の布地の長辺の１辺が開口するとともに残りの３辺が縫合され、開口している長辺をファスナで開閉できるものが主流である。
【０００７】
この種の掛布団カバーは開閉可能な長辺から内部に布団を収容した後、その辺のファスナを閉じて使用されるが、カバー内部に設けられた位置ずれ防止用の結び紐を掛布団側の結び紐に係合する際、どの結び紐同士を係合したらよいか見分けがつきにくく不便である。
上記の係合作業を盲目的に手探りで行うのは著しく能率が悪い。
【０００８】
掛布団カバーに取付けられたファスナを開ける場合、通常はファスナがある辺を使用者の近くに引寄せて開けることが多い。その方が、スライダを持つ手に力が入りやすく合理的だからである。
しかしファスナを開くためにファスナのある辺を手前に持ってくると、今度は縫合された長辺側の結び紐が、使用者から離れた奥まったところに位置することになる。
この奥側の結び紐を掛布団に係合するには、この結び紐を手前側（開口部近く）まで一旦引寄せて係行作業をした後に再度、奥に戻す必要がある。
また布団を収容した状態では、カバーに潜り込んで作業するなどの工夫が必要になる。
【０００９】
なお特許文献１に開示されたカバーであれば、上述した一般的な市販品（布団カバー）よりも大きく開口できるようになっている。そのため特許文献１開示の布団カバーの内側に、位置ずれ防止用の結び紐を設けることも考えられる。
しかし、このような構成としてみても、縫合された２辺が交わる隅の部分では従来の製品（布団カバー）と同様に、結び紐が係合しづらいという課題は依然残ったままである。
【００１０】
本考案は上記の問題に鑑みてなされたものであり、掛布団カバーの従来製品と比べ、掛布団と掛布団カバーの位置ずれ防止に用いる結び紐を係合するときの作業性を向上させることを目的とする。
【課題を解決するための手段】
【００１１】
〔第１考案〕
そこで上記の課題を解決するために、本願の第１考案に係る掛布団カバーは、
掛布団を覆うカバーであって、２本の長辺ならびに２本の短辺から成る長方形状の布地を表裏２枚で重ね合わせた掛布団カバーにおいて、
前記布地で作られたカバー本体であって、表側および裏側の布地の短辺を重ね合わせて縫合するとともに、前記２本の長辺が各々開口したカバー本体と、
このカバー本体の開口した２本の長辺のそれぞれに１組ずつ取付けられた２組のファスナと、
前記長方形状のカバー本体の内側に設けられた結び紐であって、この長方形状の四隅、ならびに、前記２本の長辺の各中央部に配置された結び紐と、
前記２本の短辺の各中央部付近にそれぞれ１つずつ配置された短辺ずれ防止結び紐と、
同２本の短辺の中央部付近において前記布地を開口して各々設けられた小孔と、
を備え、
前記カバー本体の各長辺を別々に開閉でき、
加えて、当該掛布団カバー内部に収容された掛布団の結び紐、ならびに、前記短辺ずれ防止結び紐を、前記短辺中央部に設けた小孔を介して係合できる構成とした。
【００１２】
第１考案に係る掛布団カバー（図３参照）によれば、内部に掛布団を収容した状態でも左右の長辺をファスナでそれぞれ開き、使用者の手元近くで任意の側について結び紐の係合作業をすることができる。
そのため結び紐を係合する際、従来品よりも使用者の動線が短くなって作業性が向上し、係合作業を大幅に捗らせることが可能となる。
【００１３】
また第１考案に係る掛布団カバーによれば各短辺の中央部に小孔を設けることで（実施形態２において後述）、短辺側のずれを直したいときに長辺側に設けられたファスナをいちいち開け閉めすることなく、短辺ずれ防止結び紐を掛布団に係合することができる。
【００１４】
なおファスナは大別すると金属ファスナと樹脂ファスナとに分けられるが、本考案の掛布団カバーにはこれらのいずれのファスナも採用可能である。
樹脂ファスナを採用する場合、務歯の噛合う部分がコイル形状になっているコイルファスナでもよく、また溶かした樹脂を射出して務歯を成型したファスナでもよい。合成樹脂材料などの柔らかい素材を用いた樹脂ファスナを採用すれば、金属ファスナよりもファスナを閉めるときに誤って作業者の皮膚などが務歯に挟み込まれたときの痛みが軽減される。
【００１５】
なお本考案に係る掛布団カバーではファスナに限らず、ファスナ同様に開閉機構として機能するホックなどを利用してカバー本体の開口部を係着してもよい
【００１６】
また本願に係る掛布団カバーは、
掛布団を覆うカバーであって、２本の長辺ならびに２本の短辺から成る長方形状の布地を表裏２枚で重ね合わせた掛布団カバーにおいて、
前記布地で作られるカバー本体であって、前記２本の長辺のうち一辺を表側および裏側の布地を重ね合わせて縫合するとともに、前記長辺のうち残りの縫合されていない長辺ならびに前記２本の短辺が各々開口したカバー本体と、
このカバー本体の開口した前記縫合されていない長辺および前記２本の短辺に取付けられたファスナと、
前記長方形状のカバー本体の内側に設けられた結び紐であって、この長方形状の四隅、ならびに、前記２本の長辺ならびに前記２本の短辺の各中央部に配置された結び紐と、
を備え、
前記ファスナにより、前記縫合されていない長辺および２本の短辺をコの字状に開閉できるような構成としてもよい。
【００１７】
このような掛布団カバーによれば、３辺を開放することでカバー内側に取付けられた結び紐を露出できるため、係合作業を手探りで行うことから解放される。
【００１８】
また本願に係る掛布団カバーは、
掛布団を覆うカバーであって、２本の長辺ならびに２本の短辺から成る長方形状の布地を表裏２枚で重ね合わせた掛布団カバーにおいて、
前記布地で作られるカバー本体であって、前記長方形状の４隅のうち１ヶ所で表側および裏側の布地を重ね合わせて縫合するとともに、前記２本の長辺ならびに前記２本の短辺が各々開口したカバー本体と、
このカバー本体の開口した前記２本の長辺および前記２本の短辺に取付けられたファスナと、
前記長方形状のカバー本体の内側に設けられた結び紐であって、この長方形状の四隅、ならびに、前記２本の長辺ならびに前記２本の短辺の各中央部に配置された結び紐と、を備え、
前記ファスナにより、前記長方形状を囲う２本の長辺および２本の短辺を開閉できるような構成としてもよい。
【００１９】
このような掛布団カバーによれば、３辺よりもさらに多い４辺を開閉可能とすることで上記考案と同様の効果を奏するとともに、表地と裏地を実質的に別個に取扱うことが可能となる。
このため、掛布団カバーを清掃したり掛布団カバーを干したりする際の利便性が向上する。
【図面の簡単な説明】
【００２０】
【図１】（ａ）本考案の実施形態１に係る掛布団カバーの上面図である。（ｂ）実施形態１に係る掛布団カバーの正面図である。
【図２】実施形態１に係る掛布団カバーの外観を示す斜視図である。
【図３】実施形態２に係る掛布団カバーの上面図である。
【図４】実施形態２に係る掛布団カバーの外観を示す斜視図である。
【図５】（ａ）実施形態３に係る掛布団カバーの上面図である。（ｂ）実施形態３に係る掛布団カバーの正面図である。
【図６】実施形態３に係る掛布団カバーの外観を示す斜視図である。
【図７】（ａ）実施形態４に係る掛布団カバーの上面図である。（ｂ）実施形態４に係る掛布団カバーの正面図である。
【図８】実施形態４に係る掛布団カバーの外観を示す斜視図である。
【考案を実施するための形態】
【００２１】
以下、図１乃至図８を参照して、本考案の掛布団カバーについて説明する。
［実施形態１］
本考案の実施形態１は、位置ずれ防止用の結び紐が付いた掛布団を収容することを想定して、２辺が開口可能な長方形状の掛布団カバーを構成した例である。
【００２２】
本例の掛布団カバー１は、掛布団を覆うカバーであって、２本の長辺Ｌ１・Ｌ２ならびに２本の短辺Ｓ１・Ｓ２から成る長方形状の布地２１・２２を表裏２枚で重ね合わせたものである。
掛布団カバー１は、表側の布地２１および裏側の布地２２の短辺Ｓ１・Ｓ２を重ね合わせて縫合するとともに２本の長辺Ｌ１・Ｌ２が各々開口したカバー本体２を備える。
また本カバー１は、カバー本体２の開口した２本の長辺Ｌ１・Ｌ２のそれぞれに１組ずつ取付けられた２組のファスナ４０１・４０２を備える。
【００２３】
長方形状のカバー本体２の内側には結び紐３１〜３６が設けられており、長方形状の４隅には結び紐３１・３３・３４・３６が配置されるとともに、２本の長辺Ｌ１・Ｌ２の各中央部には結び紐３２・３５が配置される。
また２本の短辺Ｓ１・Ｓ２の各中央部付近には、短辺ずれ防止結び紐３７・３８がそれぞれ１つずつ配置される。
さらに上記カバー本体２の各長辺Ｌ１・Ｌ２は別々に開閉できるように構成される。
以下、この内容について詳しく説明する。
【００２４】
図１（ａ）は、本実施形態に係る掛布団カバー１の外観を示す上面図である。
本例の掛布団カバー１は、図１（ａ）に示すように、掛布団カバー１の全体を成すカバー本体２と、結び紐３１〜３６と、短辺ずれ防止結び紐３７・３８と、２組のファスナ４０１・４０２と、を有している。
【００２５】
カバー本体２は、綿素材などの布地から作られており、長方形状に裁断された表地２１と裏地２２とを重ね合せて構成される（図１（ｂ）参照）。これら布地の４辺のうち短辺Ｓ１・Ｓ２は、各々縫合されている。
また図１（ａ）に示すように、上記カバー本体２の残りの２辺である長辺Ｌ１・Ｌ２は開口しており、これら２辺の開口縁部の一方（本例では、長辺Ｌ１）に、ほぼ全長にわたって直線状のファスナ４０１が縫合されるとともに、他方（本例では、長辺Ｌ２）にも同じく、ほぼ全長にわたってファスナ４０２が縫合されている。
【００２６】
上記ファスナ４０１は、スライダ４１１および務歯４２１から、またファスナ４０２は、スライダ４１２および務歯４２２から各々構成される。
本例のファスナ４０１・４０２は図２に示すように、それぞれのスライダ４１１・４１２を短辺Ｓ１側に向かってスライドさせることで閉じ、逆方向にスライドさせることで開くようになっている。
【００２７】
長方形状のカバー本体２の内側には図１（ａ）に示すように、掛布団１０（図２参照）と掛布団カバー１とのずれを防止するための結び紐３１〜３６が設けられている。
本例では長方形状の４隅に結び紐３１・３３・３４・３６が配置されるとともに、長辺側の位置ずれを防止するための結び紐３２・３５が長辺Ｌ１・Ｌ２の各中央部にそれぞれ配置される。
さらに本掛布団カバー１では、短辺側の位置ずれを防止するために、短辺ずれ防止結び紐３７・３８が短辺Ｓ１・Ｓ２の各中央部付近にそれぞれ１つずつ配置されている。すなわち掛布団カバー１は、短辺ずれ防止結び紐３７・３８を含め、少なくとも合計８ヶ所に結び紐を有している。
【００２８】
なお掛布団カバー１の収容対象となる掛布団１０は、一般に市場で入手可能な製品を想定している。
寝具市場の実情として掛布団１０のうち廉価なものには、結び紐が４隅と各長辺中央部の合計６ヶ所（図２の結び紐１１〜１６）に備わっていることが多い。一方で価格がやや高価な掛布団製品では、これらに各短辺中央部を加えた合計８ヶ所に、結び紐（図２の結び紐１１〜１８）が取付けられている傾向にある。
このような製品動向の変化や掛布団カバー作製者各々のポリシーに応じて、掛布団カバー１側の結び紐３１〜３６および短辺ずれ防止結び紐３７・３８の本数は任意に増やすことが可能である。
【００２９】
以下、本実施形態に係る掛布団カバー１の使用方法について説明する。
図２に示すように使用者は、先ずカバー本体２の左右にあるファスナ４０１およびファスナ４０２を開き、この状態で掛布団カバー１の内部に掛布団１０を収容する。
【００３０】
つぎに、収容した掛布団１０の結び紐１１〜１６と、カバー本体２の長方形状の内縁部に設けられた結び紐３１〜３６とを係合させる。
ここで、係合作業を行う方の長辺に付いているファスナ４０１（または４０２）を開き、開いたファスナ付近にある結び紐３１〜３３（または３４〜３６）を使用者の手元で掛布団１０に結びつける。
【００３１】
また掛布団１０の短辺にも結び紐１７・１８が取付けられている場合、短辺ずれ防止結び紐３７・３８も係合する。
結び紐３１〜３６ならびに短辺ずれ防止結び紐３７・３８をくくりつける作業が終了したら、長辺Ｌ１側のファスナ４０１、長辺Ｌ２側のファスナ４０２を閉じる。
以上で、掛布団１０を掛布団カバーに収容する一連の作業が終了する。
【００３２】
以上説明したように実施形態１に係る掛布団カバー１によれば、カバー本体２の左右両側（２つの長辺Ｌ１・Ｌ２）にファスナ４０１・４０２が取付けられており、各長辺Ｌ１・Ｌ２がファスナ４０１・４０２によってそれぞれ独立して開閉可能になっている。
このため、たとえ掛布団カバー１に掛布団１０が収容されている状態であっても、これら２辺Ｌ１・Ｌ２を開くことで、長辺Ｌ１・Ｌ２のどちらについても結び紐を手前側（開口部寄り）として係合作業をできるため、この作業をし易くできる。
【００３３】
［実施形態２］
従来の掛布団カバー製品において、その内側にある結び紐・短辺ずれ防止結び紐が、掛布団１０側の結び紐に係合しづらいのは、掛布団カバーの外側からはカバー内側の結び紐の位置や係合状態を把握しにくいことが主な原因である。
そこで実施形態２の掛布団カバー１Ａでは図３に示すように、表側の布地２１および裏側の布地２２が縫合された短辺Ｓ１・Ｓ２の中央部（短辺ずれ防止結び紐３７・３８の配置位置付近）に、小孔５１・５２がそれぞれ設けられている。
これら各小孔５１・５２は最低限、本カバー１Ａの使用者の指を数本出し入れできる程度に大きさが確保されていればよい。
【００３４】
使用者は、短辺ずれ防止結び紐３７および３８を、当該カバー１Ａ内部に収容された掛布団１０の短辺中央部にある結び紐１７・１８に各小孔５１、５２を介して係合できる。
このように実施形態２によれば小孔５１・５２を設けることで、図４に示すように、掛布団カバー１Ａの外側から、カバー本体２内側の短辺ずれ防止結び紐３７・３８を目視で確認できるようになる。そのため係合作業が容易となって作業がはかどるとともに、掛布団カバー１Ａと掛布団１０をしっかりと固定できる。
【００３５】
［実施形態３］
本考案の実施形態３は、カバー本体２の３辺を開放することのできる掛布団カバー１Ｂを構成した例である。
実施形態３の掛布団カバー１Ｂも、上記各実施形態と同様に長方形状の布地２１・２２を表裏２枚で重ね合わせて成るが（図５（ｂ）参照）、実施形態３の掛布団カバー１Ｂでは、布地で作られるカバー本体２を、２本の長辺Ｌ１・Ｌ２のうち１辺Ｌ２を表側および裏側の布地を重ね合わせて縫合するとともに、長辺のうち残りの縫合されていない長辺Ｌ１ならびに２本の短辺Ｓ１・Ｓ２が各々開口するように形成する（図６参照）。
【００３６】
図５（ａ）に示すように、カバー本体２の開口した辺（縫合されていない長辺Ｌ１と、２本の短辺Ｓ１・Ｓ２）には、ファスナ４０３・４０４が取付けられている。
また長方形状のカバー本体２の内側には、その４隅と全辺Ｌ１・Ｌ２・Ｓ１・Ｓ２の各中央部に、結び紐３１〜３８が設けられている。
【００３７】
実施形態３によれば、３辺（縫合されていない長辺Ｌ１と、２本の短辺Ｓ１・Ｓ２）の全長にわたってファスナを設けることにより図６に示すように、これら３辺Ｌ１・Ｓ１・Ｓ２をコの字状に開閉できる。
そのため掛布団カバー１Ｂの裏地２２に掛布団１０を載せた状態でも、ファスナ４０３・４０４により３辺Ｌ１・Ｓ１・Ｓ２を開放することで本カバー１Ｂの内側に取付けられた結び紐３１〜３８を露出でき、使用者が係合作業を手探りで行うことから解放される。
【００３８】
なお本例では、開口した３辺Ｌ１・Ｓ１・Ｓ２に対し２組のファスナ４０３・４０４が取付けられているが、当該３辺Ｌ１・Ｓ１・Ｓ２に取付けるファスナの個数は、これらの辺Ｌ１・Ｓ１・Ｓ２のほぼ全長にわたって開閉可能である限り、任意でよい。
ここでカバー本体２上の複数の辺にまたがって単一のファスナを設けるケースでは、これら複数の辺からなる角の部分においてファスナを折曲げる必要があるが、この場合、角にはファスナの復元力が加わることになる。
当該復元力はファスナの形状を真っすぐに戻そうとする力であるが、その力は相当程度に強いものであるため、カバー本体２の布地２１・２２が破損してしまうおそれもある。
【００３９】
そこで、この復元力に対抗すべく、上記角の部分（ファスナが折曲がった状態で取付けられた部分）にボタン・ホック等の係着部材を装着し、表地２１と裏地２２を係着することで補強を図るとよい。
このようにすればファスナの復元力は、係着部材に対する剪断力として作用するものの、布地２１・２２に対しては直接その力を及ぼすことがなくなる。そのためファスナの復元力により、カバー本体２の布地２１・２２が破損することを防止することができる。
【００４０】
［実施形態４］
本考案の実施形態４は、カバー本体２の４辺すべてを開放することのできる掛布団カバー１Ｃを構成した例である。
【００４１】
実施形態４では長方形状の布地２１・２２を表裏２枚で重ね合わせた掛布団カバー１Ｃにおいて（図７（ｂ）参照）、これら２枚の布地で作られるカバー本体２を、長方形状の４隅のうち１ヶ所で表側および裏側の布地を重ね合わせて縫合するとともに、長方形状の２本の長辺Ｌ１・Ｌ２ならびに２本の短辺Ｓ１・Ｓ２が各々開口するように形成する（図８参照）。
【００４２】
また図７（ａ）に示すように、カバー本体２の開口した全辺（２本の長辺Ｌ１・Ｌ２および２本の短辺Ｓ１・Ｓ２）にはファスナ４０５が取付けられている。
さらに長方形状のカバー本体２の内側には、その４隅と全辺Ｌ１・Ｌ２・Ｓ１・Ｓ２の各中央部に結び紐３１〜３８が設けられている。
【００４３】
図８に示すようにファスナ４０５により、長方形状を囲う２本の長辺Ｌ１・Ｌ２および２本の短辺Ｓ１・Ｓ２を開閉することで、カバー本体２のほぼ全周を開放することができる。
このように実施形態４によれば、３辺よりもさらに多い４辺を開閉可能とすることで、上記実施形態３と同様の効果を奏するとともに表地２１と裏地２２を実質的に別個に取扱うこともできるため、掛布団カバー１Ｃを清掃したり、掛布団カバー１Ｃを干すときの利便性が向上する。
【００４４】
なお実施形態４においては表地２１と裏地２２がばらばらにならないように、これら２枚の布地を縫合しておくことが望ましい。
これは１組の表地２１・裏地２２から成る掛布団カバー１Ｃが複数あったときに、表地と裏地の組合せを見分けにくくなり作業に手間取ってしまうことを未然回避するためである。
【００４５】
また上記実施形態３と同様に、実施形態４においても複数の辺にまたがって単一のファスナを設ける場合、カバー本体２の角部分で折曲げられた状態にあるファスナの復元力に対抗できるよう、係着部材（ボタン・ホック等）を設けて、カバー本体２の補強を図るとよい。
【００４６】
〔変形例〕
上記各実施形態に係る掛布団カバー１等は、カバー本体２の外装地はもちろん、ファスナ４０１・４０２のスライダや務歯についても任意のデザイン（模様・色彩・生地の質感）を選択してよい。
例えば、カバー本体２とファスナ４０１・４０２との間にデザインの統一性を持たせることで美観性が向上し、掛布団カバー１の購入を検討する需要者の購買意欲が高まることを期待できる。
【００４７】
以上、実施形態を参照して本考案を説明したが、本考案は上記実施形態に限定されるものではない。本考案の構成や詳細には、本考案の要旨を逸脱しない範囲で当業者が理解し得る各種の変形が可能である。
【符号の説明】
【００４８】
１、１Ａ、１Ｂ、１Ｃ  掛布団カバー
２  カバー本体
３１、３２、３３、３４、３５、３６  結び紐
３７、３８  短辺ずれ防止結び紐
４０１、４０２、４０３、４０４、４０５  ファスナ
５１、５２  小孔
【図１】
0003196039.tif 000003
【図２】
0003196039.tif 000004
【図３】
0003196039.tif 000005
【図４】
0003196039.tif 000006
【図５】
0003196039.tif 000007
【図６】
0003196039.tif 000008
【図７】
0003196039.tif 000009
【図８】
0003196039.tif 000010